(57)【要約】【課題】現場操作盤と制御装置間の通信のためのケーブル敷設工事を不要とするとともに、現場操作盤と制御装置間の通信範囲を拡大することができる監視制御システムを得る。【解決手段】プラントの機器１７を制御する制御信号を出力し、該制御信号を無線で送信する無線装置子局７，１０を有する複数の現場操作盤３，９と、現場操作盤３，９の制御信号を無線で受信し、プラントの機器１７の運転状態の状態信号を現場操作盤３，９の無線装置子局７，１０に無線で送信する無線装置親局８を有する制御装置５とを備え、現場操作盤３の無線装置子局７は、無線装置親局８から送信される状態信号を現場操作盤９の無線装置子局１０に中継し、現場操作盤９の無線装置子局１０からの制御信号を無線装置親局８へ中継する中継機能を有するものとする。【選択図】図１
2010226269.tif 000002
【特許請求の範囲】
【請求項１】
プラントの機器を制御する制御信号を出力し、該制御信号を無線で送信する無線装置子局を有する複数の現場操作盤と、上記現場操作盤の制御信号を無線で受信し、上記プラントの機器の運転状態の状態信号を上記現場操作盤の無線装置子局に無線で送信する無線装置親局を有する制御装置とを備え、
上記現場操作盤の無線装置子局は、上記無線装置親局から送信される上記状態信号を他の現場操作盤の無線装置子局に中継し、上記他の現場操作盤の無線装置子局からの上記制御信号を上記無線装置親局へ中継する中継機能を有することを特徴とする監視制御システム。
【請求項２】
上記現場操作盤は、上記機器または機器間に設けた計装センサの計測データを取り込み、上記無線装置子局は、上記取り込んだ計測データをデジタル信号に変換する機能を備えることを特徴とする請求項１に記載の監視制御システム。
【請求項３】
上記現場操作盤を動作させる電源として、上記現場操作盤にバッテリーを備えたことを特徴とする請求項１に記載の監視制御システム。
【請求項４】
上記現場操作盤を動作させる電源として、上記現場操作盤に太陽光発電装置を備えたことを特徴とする請求項１に記載の監視制御システム。
【発明の詳細な説明】
【技術分野】
【０００１】
この発明は、浄水場や下水処理場などの水処理プラントにおけるポンプやバルブ等の監視制御に使用する主に電気室内に設置されるコントローラなどの制御装置や、ポンプやバルブ等が稼動する現場に設置された現場操作盤で構成される監視制御システムに関するものである。
【背景技術】
【０００２】
従来の水処理プラント等のプラントの監視制御システムは、操作スイッチ及び運転・状態を表示する表示灯が表面に取り付けられた現場操作盤と、リレー（補助継電器）で構成されるＨ/Ｗ回路またはコントローラで構成される制御装置及び制御装置からの操作信号を受けてポンプやバルブの入切を行うコントロールセンタとが信号ケーブルにて接続されている。このような監視制御システムでは、現場操作盤に取り付けられた運転・状態を表示する表示灯の数量だけ個別に信号ケーブルを必要とするため、現場操作盤の設置の際にはケーブルの敷設工事が必要となる。また、現場操作盤内に電源の必要な機器を収納する場合には、電源ケーブルの敷設工事も同様に必要となる。ケーブル敷設工事には付帯工事として電線管やケーブルダクトの取り付けも必要であり、費用も期間もかかる。
また、増設工事や改造工事において現場操作盤へ信号追加を行う際にも別途ケーブル敷設工事が必要になる。
【０００３】
これに対して、例えば、特許文献１に開示されているように、タッチパネルを用いた現場操作盤とコントローラそれぞれに送受信器を設け、現場操作盤とコントローラとの間を無線で通信することにより現場操作盤とコントローラとの間のケーブルの敷設工事を不要としたものがある。
【先行技術文献】
【特許文献】
【０００４】
【特許文献１】特開平８−２３５８５号（第７頁、図５）
【発明の概要】
【発明が解決しようとする課題】
【０００５】
上記特許文献１に開示された無線による方法の場合、コントローラと通信可能な現場操作盤の敷設範囲は限られてくるという問題がある。
【０００６】
この発明は上記のような問題を解決するためになされたものであり、現場操作盤と制御装置間の通信を無線ＬＡＮを用いた無線で行うことによりケーブル敷設工事を不要とするとともに、現場操作盤と制御装置間の通信範囲を拡大することができる監視制御システムを得ることを目的とするものである。
【課題を解決するための手段】
【０００７】
この発明に係る監視制御システムは、プラントの機器を制御する制御信号を出力し、該制御信号を無線で送信する無線装置子局を有する複数の現場操作盤と、上記現場操作盤の制御信号を無線で受信し、上記プラントの機器の運転状態の状態信号を上記現場操作盤の無線装置子局に無線で送信する無線装置親局を有する制御装置とを備え、
上記現場操作盤の無線装置子局は、上記無線装置親局から送信される上記状態信号を他の現場操作盤の無線装置子局に中継し、上記他の現場操作盤の無線装置子局からの上記制御信号を上記無線装置親局へ中継する中継機能を有するものである。
【発明の効果】
【０００８】
この発明に係る監視制御システムによれば、プラントの機器を制御する制御信号を出力し、該制御信号を無線で送信する無線装置子局を有する複数の現場操作盤と、上記現場操作盤の制御信号を無線で受信し、上記プラントの機器の運転状態の状態信号を上記現場操作盤の無線装置子局に無線で送信する無線装置親局を有する制御装置とを備え、
上記現場操作盤の無線装置子局は、上記無線装置親局から送信される上記状態信号を他の現場操作盤の無線装置子局に中継し、上記他の現場操作盤の無線装置子局からの上記制御信号を上記無線装置親局へ中継する中継機能を有するものであるので、現場操作盤と制御装置間のケーブル敷設工事を不要とするとともに、現場操作盤と制御装置間の通信範囲を拡大することができる。
【図面の簡単な説明】
【０００９】
【図１】この発明における実施の形態１のシステム構成図である。
【図２】この発明における実施の形態２のシステム構成図である。
【図３】この発明における実施の形態３のシステム構成図である。
【図４】この発明における実施の形態４のシステム構成図である。
【発明を実施するための形態】
【００１０】
実施の形態１．
以下、この発明の実施の形態１について説明する。図１は、この発明における実施の形態１のシステム構成図であり、プラントの機器の運転状態を表示しプラントの機器を制御する信号を発生する現場操作盤３及び現場操作盤９と、プラントの機器の制御を行う操作信号を発生する制御装置５と、制御装置５の操作信号によりポンプやバルブ等の機器のＯＮ／ＯＦＦを行うコントロールセンタ６とで構成されている。
【００１１】
現場操作盤３及び現場操作盤９は、コントロールセンタ６に接続されたポンプのモータ（Ｍ）等の機器１７(図では機器１７を１つ記載しているが、現場操作盤３及び現場操作盤９それぞれに対して設けられている)に対する負荷の制御信号を出力する操作スイッチ１及び機器の運転状態を表示する表示灯２が表面に設けられている。また、現場操作盤３及び現場操作盤９の内部には、操作スイッチ１の操作によって機器１７を制御する信号を出力し、出力された信号を無線ＬＡＮの信号に変換した制御信号として無線通信する無線装置子局７、１０を有し、無線装置子局７は、後述のように、無線装置子局１０からの制御信号を中継する中継機能を有する。
【００１２】
制御装置５は、リレー（補助継電器）等のＨ/Ｗで構成され、プラントの機器の制御を行う操作信号をコントロールセンタ６に出力するとともに、機器の状態信号をコントロールセンタ６から取得するものである。制御装置５には無線装置親局８が取り付けられている。無線装置親局８は、制御装置５から出力される機器の状態信号を無線ＬＡＮの信号に変換し、伝送路４を通じて無線装置子局７へ送信する。無線装置子局７は、後述のように、無線装置親局８からの状態信号を無線装置子局１０へ中継する中継機能を有する。
【００１３】
コントロールセンタ６は、制御装置５からの操作信号を受けてポンプやバルブ等の機器のＯＮ／ＯＦＦを行い、機器１７の状態信号を制御装置５に出力する。
【００１４】
次に、動作について説明する。現場操作盤３、９内に設置された無線装置子局７、１０は、操作スイッチ１のＯＮ／ＯＦＦ信号、すなわち、制御信号をディジタル信号に変換し、無線で通信できるようにする。
【００１５】
無線装置子局１０は、伝送路１１を通じて制御信号を無線装置子局７へ送信する。無線装置子局７は自己の制御信号とともに、無線装置子局１０から送信された制御信号を中継し伝送路４を通じて無線装置親局８に送信する。
【００１６】
また、無線装置親局８から伝送路４を通じて状態信号が無線装置子局７へ送信され、無線装置子局７はその状態信号を中継して無線装置子局１０へ送信する。
【００１７】
この実施の形態１によれば、現場操作盤９の無線装置子局１０と無線装置親局８が無線で直接通信できないような場所に設置された場合において、無線装置親局８の直接通信可能範囲に設置された無線装置子局７と無線ＬＡＮの伝送路１１を使用して通信することで無線装置親局８と無線装置子局１０の送受信が可能になる。
【００１８】
なお、現場操作盤が３つ以上ある場合に、現場操作盤の無線装置子局は、無線装置親局８から送信される状態信号を他の現場操作盤の無線装置子局に中継し、他の現場操作盤の無線装置子局からの制御信号を無線装置親局８へ中継する中継機能を有するようにすることで、制御装置５と複数の現場操作盤との送受信の範囲をさらに拡大することができる。
【００１９】
実施の形態２．
この実施の形態２は、無線装置子局７が現場操作盤３に表示される計装センサの計測データをディジタル信号に変換する機能を有するものである。
【００２０】
図２は、この発明における実施の形態３のシステム構成図である。図２において、機器１７あるいは機器１７間に設けた計装センサ１３の計測データをケーブルで現場操作盤３に取り込み、現場操作盤３の計装センサ１３の計測データをディジタル信号に変換する機能を無線装置子局７に持たせたので、計装センサ１３の計測データを制御信号と同様に無線ＬＡＮの伝送路４を通じて無線装置親局８に送信することが可能になる。
【００２１】
実施の形態３．
この上記実施の形態３は、図３に示すように、現場操作盤３にバッテリー１４を設け、作業用の電源やヒータなどに使用する電源供給用の電源ケーブルの敷設を不要にしたものである。
【００２２】
実施の形態４．
上記実施の形態４では、現場操作盤３にバッテリー１４を設ける場合を示したが、この実施の形態４では、図４に示すように、バッテリー１４に代えて太陽光発電装置１５を置くことで電源ケーブルも敷設する必要がなくなるとともに、バッテリーのように定期的に充電や交換をする必要がなくなる。
【産業上の利用可能性】
【００２３】
この発明に係る監視制御システムは、浄水場や下水処理場などの水処理プラント等における機器の監視制御に有効に利用することができる。
【符号の説明】
【００２４】
１  操作スイッチ、２  表示灯、３，９  現場操作盤、４，１１，１２  伝送路、
５  制御装置、６  コントロールセンタ、７，１０  無線装置子局、８  無線装置親局、１３  計装センサ、１４  バッテリー、１５  太陽光発電装置、１６  電源、
１７  機器。
【図１】
2010226269.tif 000003
【図２】
2010226269.tif 000004
【図３】
2010226269.tif 000005
【図４】
2010226269.tif 000006